(57)【要約】【課題】文字に適したバランスが取れるようにした書道用下敷を提供すること。【解決手段】書道用下敷は、下敷体１の表面に、縦長文字用の縦長枠２と、横長文字用の横長枠３とを具備した文字枠４が設けられたものである。【選択図】図１
2007133000.tif 000002
【特許請求の範囲】
【請求項１】
下敷体の表面に、縦長文字用の縦長枠と、横長文字用の横長枠とを具備した文字枠が設けられたことを特徴とする書道用下敷。
【請求項２】
前記文字枠には、ひらがな用の丸枠が設けられていることを特徴とする請求項１記載の書道用下敷。
【請求項３】
前記縦長枠及び横長枠は、同形の二つの長方形がその重心位置を共有し且つ互いに直交して配置されてなることを特徴とする請求項１または２記載の書道用下敷。
【請求項４】
前記文字枠には、ひらがな用の丸枠が設けられ、
前記縦長枠及び横長枠は、同形の二つの長方形がその重心位置を共有し且つ互いに直交して配置されてなり、
前記丸枠は、前記二つの長方形の各長辺に内接する円であることを特徴とする請求項１記載の書道用下敷。
【請求項５】
前記文字枠には、該文字枠の重心位置を通る十字線が設けられていることを特徴とする請求項１〜４のいずれか一つに記載の書道用下敷。
【請求項６】
前記文字枠の複数が、所定ピッチで配置されたことを特徴とする請求項１〜５のいずれか一つに記載の書道用下敷。
【請求項７】
前記文字枠間には所定の間隙が設けられていることを特徴とする請求項６記載の書道用下敷。
【請求項８】
前記下敷体の一方の表面には、前記文字枠が４個配置され、他方の表面には６個配置されていることを特徴とする請求項６または７記載の書道用下敷。
【請求項９】
前記下敷体は、樹脂ラシャ製であることを特徴とする請求項１〜８のいずれか一つに記載の書道用下敷。
【発明の詳細な説明】
【技術分野】
【０００１】
本発明は、書道用下敷に関する。
【背景技術】
【０００２】
書道、習字(以下、「書道」という）においては、下敷の上に半紙を置いて文字を書く練習が行われている。その際、字のバランスを良くするために、所定大きさに区画された升目が表示された下敷（例えば、特許文献１(実開昭６４−５５９６０号公報）参照）を用いていた。
【０００３】
また、ひらがな文字やカタカナ文字のバランスをも考慮して、前記升目に円形枠を表示した下敷も提案されている（例えば、特許文献２(登録実用新案第３０１２５３９号公報）参照)。
【特許文献１】実開昭６４−５５９６０号公報
【特許文献２】登録実用新案第３０１２５３９号公報
【発明の開示】
【発明が解決しようとする課題】
【０００４】
前記特許文献１記載のものは、主として漢字用であり、特許文献２記載のものは、漢字とひらがなの両用であった。
【０００５】
しかし、漢字には、縦長の篆書、横長の隷書、正方形の文字などがあり、その字体の全体的なバランスは同じではない。
【０００６】
従って、前記特許文献１や２記載の下敷の升目では、その字体に適したバランスをとり難いという問題があった。
【０００７】
また、書道では文字自体のバランスの他に、文字と文字との字間(余白、スペース）のバランスも重要であったが、従来の下敷では字間のバランスもとり難かった。
【０００８】
そこで、本発明は、文字に適したバランスが取れるようにした書道用下敷を提供することを目的とする。また、字間のバランスを取れるようにした書道用下敷を提供することを目的とする。
【課題を解決するための手段】
【０００９】
前記目的を達成するために、本発明は次の手段を講じた。即ち、本発明の書道用下敷の特徴とするところは、下敷体の表面に、縦長文字用の縦長枠と、横長文字用の横長枠とを具備した文字枠が設けられた点にある。
【００１０】
前記文字枠には、ひらがな用の丸枠が設けられているのが好ましい。
前記縦長枠及び横長枠は、同形の二つの長方形がその重心位置を共有し且つ互いに直交して配置されてなるのが好ましい。
【００１１】
前記丸枠は、前記二つの長方形の各長辺に内接する円であるのが好ましい。
前記文字枠には、該文字枠の重心位置を通る十字線が設けられているのが好ましい。
【００１２】
前記文字枠の複数が、所定ピッチで配置されているのが好ましい。
前記文字枠間には所定の間隙が設けられているのが好ましい。
【００１３】
前記下敷体の一方の表面には、前記文字枠が４個配置され、他方の表面には６個配置されているのが好ましい。
【００１４】
前記下敷体は、樹脂ラシャ製であるのが好ましい。
【発明の効果】
【００１５】
本発明によれば、文字に適したバランスを取ることができる。
【発明を実施するための最良の形態】
【００１６】
以下、本発明の実施の形態を、図面に基づき説明する。
図１において、書道用下敷は、下敷体１の表面に、縦長文字用の縦長枠２と、横長文字用の横長枠３とを具備した文字枠４が設けられてなるものである。
【００１７】
書道用としては毛筆用のみならずペン習字用であっても良い。従って、下敷体１の材質形状は、筆記具に適したものであれば良い。なお、この実施の形態では、毛筆用の下敷とされている。
【００１８】
前記下敷体１の材質は、特に限定されるものではないが、この実施の形態では毛筆用であるので、樹脂ラシャ製とされている。
【００１９】
下敷体１を樹脂ラシャ製としたときは、折り目や皺ができにくく、広げたときに波打たない。また、撥水性がよいので、汚れにくい。樹脂ラシャとは、化繊のフェルトのことをいうが、羊毛のフェルトを使うこともできる。
【００２０】
前記下敷体１の形状は、筆記用紙に適合した大きさとされている。この実施の形態では半紙用とされ、下敷体１の外形は、半紙の大きさより一回り大きい外形を有する。
【００２１】
下敷体１の表面には、半紙の大きさと同一形状の用紙枠５が設けられている。
この用紙枠５内に前記文字枠４が配置されている。前記文字枠４の複数が、所定ピッチで配置されている。この実施の形態では、四文字用として、四個の文字枠４が所定ピッチで配置されている。
【００２２】
すなわち、前記文字枠４間には所定の間隙が設けられている。
縦長の篆書は字間を詰め、横長の隷書は字間を空けて書くことが伝統的な布置章法であるが、この場合は篆書はその上下が、隷書はその左右が、互いに文字同士が呼応する美しさがある。この実施の形態では、文字枠４間に所定の間隙を設けているので、篆書や隷書の半紙臨書にも対応できる。
【００２３】
前記用紙枠５の上辺と最上段の文字枠４の上辺との間隔（以下、「天余白６」という）と、用紙枠５の下辺と最下段の文字枠４の下辺との間隔（以下、「地余白７」という）は、天余白よりも地余白の方を広く取っている。
【００２４】
縦書きによって変遷してきた漢字（仮名を含む）は、下方へと重心をかけた造形が多く、天余白６より地余白７を広くとるほうがバランスが良くなる。従って、この実施の形態では、天余白６より地余白７の方を広く空けているので半紙作品をバランスよく書ける。
【００２５】
前記文字枠４は、その枠に囲われた領域に文字を書かすためのものである。従って、前記縦長枠２と横長枠３との形状は、縦長文字(例えば「月」）や横長文字(例えば「四」）に適したものであればよい。この実施の形態では、前記縦長枠２及び横長枠３は、同形の二つの長方形がその重心位置を共有し且つ互いに直交して配置されてなる。
【００２６】
前記二つの長方形が重なる部分は正方形枠を構成する。
この正方形枠は、正方形の文字（例えば「田」や「国」）を書くのに適している。
【００２７】
前記文字枠４の表示は、特に限定されないが、下敷体１の表面に点線(図１の上段参照）、又は、実線(図１の下段参照）を印刷することにより行われている。印刷に限らず、織り込み、刺繍などであっても良い。用紙枠５や文字枠４の色は、半紙から透けて見える色であれば良い。この実施の形態では、下敷体１は白地で、文字枠４の線は臙脂とされているので、半紙の上から線がはっきり見える。
【００２８】
図２に示すものは、本発明の他の実施の形態であり、六文字用の半紙用下敷とされている。そして、前記文字枠４には、ひらがな用の丸枠８が設けられている点で前記図１の実施の形態とは異なる。
【００２９】
前記丸枠８の大きさはひらがなに適したものであれば良く、特に限定されないが、この実施の形態では、前記二つの長方形の各長辺に内接する円とされている。この円は実線で描かれている。縦長枠２と横長枠３は点線で描かれているが、実線であっても良い。
【００３０】
その他の構成は、前記図１に示したものと同じである。
図３に示すものは、本発明の他の実施の形態であり、毛筆用の四文字用下敷であり、前記文字枠４には、該文字枠４の重心位置を通る十字線９が設けられている。この十字線９も実線で描かれているが、点線や一点鎖線などであっても良い。
【００３１】
なお、前記十字線９は、前記図１に示す実施の形態にも適用できる。
図４に示すものは、本発明の他の実施の形態であり、毛筆用の六文字用下敷である。
【００３２】
前記文字枠４等を下敷体１の片面に印刷するのみならず、図３のものと図４のものを、下敷体１の両面に印刷したものであっても良い。
【００３３】
図５は、本発明の作用効果を示すものであり、前記文字枠４に適した文字の例を示す。同図の（ａ）〜（ｆ）は、文字の中心や「へん」と「つくり」の位置・間隔等が正確に書ける例を示す。また、同図の（ｇ）〜（ｌ）は、文字の正しい字形を学ぶことができることを示している。
【００３４】
即ち、文字の形には縦長や横長、正方形に近いもの、大きく、また小さく書くものがあるが、このような文字本来の外形を見落とすことがないように、本発明の下敷を用いれば、文字の中心やへんとつくり等の位置を分かりやすく正確に捉えることができ、文字本来の正しい形を学ぶことができる。また、半紙作品の仕上がりを考え、文字枠４の間の間隔や天地余白６，７の視覚的なバランスにも工夫がされているので、文字を配置よく書くことができる。
【００３５】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【産業上の利用可能性】
【００３６】
本発明は、学習文房具産業に利用可能である。
【図面の簡単な説明】
【００３７】
【図１】本発明の実施の形態を示す書道用下敷の平面図である。
【図２】本発明の他の実施の形態を示す書道用下敷の平面図である。
【図３】本発明の他の実施の形態を示す書道用下敷の平面図である。
【図４】本発明の他の実施の形態を示す書道用下敷の平面図である。
【図５】本発明の作用効果の説明用図面である。
【符号の説明】
【００３８】
１  下敷体、２  縦長枠、３  横長枠、４  文字枠、８  丸枠、９  十字線。
【図１】
2007133000.tif 000003
【図２】
2007133000.tif 000004
【図３】
2007133000.tif 000005
【図４】
2007133000.tif 000006
【図５】
2007133000.tif 000007